(57)【要約】【課題】本発明の課題は、クライアント装置に送信する頻度が多い画像情報をより高い圧縮率で画像圧縮を行うことが可能なサーバ装置、画像圧縮装置及びプログラムを提供すること。【解決手段】サーバ装置は画像情報を画像圧縮装置に送る。画像圧縮装置はサーバ装置より送られた画像情報を受付け、画像情報の受付頻度を記憶し、圧縮し、圧縮された圧縮画像情報を記憶し出力する。サーバ装置はこの圧縮画像情報をクライアント装置に送信する。ここで画像圧縮装置は、サーバ装置より画像情報を受付けていない間に前記頻度が多い画像情報に対応する前記圧縮画像情報を繰り返し圧縮し、再圧縮画像情報として記憶しておく。この画像圧縮装置はサーバ装置より画像情報を新たに受付けた際に、その画像情報に対応する再圧縮画像情報を取出し出力し、サーバ装置はこの再圧縮画像情報をクライアント装置に送信する。【選択図】      図３
2009212748.tif 000002
【特許請求の範囲】
【請求項１】
クライアント装置に送信される画像情報を圧縮する圧縮手段と、
この圧縮手段により圧縮された圧縮画像情報を記憶する記憶手段と、
前記クライアント装置に前記圧縮画像情報を送信する送信手段と、
この送信手段により前記圧縮画像情報が前記クライアント装置に送信された頻度を記憶する頻度記憶手段と、
前記頻度記憶手段に記憶される頻度が多い画像情報に対応する圧縮画像情報を前記記憶手段より取得し再度圧縮する再圧縮手段を有し、
前記送信手段は、前記再圧縮手段により再度圧縮された再圧縮画像情報をクライアント装置に送信することを特徴とするサーバベース・コンピューティング・システムにおけるサーバ装置。
【請求項２】
ＣＰＵ使用率を検出する検出手段を更に有し、
前記再圧縮手段は、
前記検出手段により検出されるＣＰＵ使用率が所定の閾値より低い場合に、前記圧縮画像情報を再度圧縮することを特徴とする請求項１記載のサーバベース・コンピューティング・システムにおけるサーバ装置。
【請求項３】
画像情報を入力する画像入力手段と、
この画像入力手段に入力された前記画像情報の頻度を記憶する頻度記憶手段と、
前記画像情報を圧縮する圧縮手段と、
この圧縮手段により圧縮された圧縮画像情報を記憶する記憶手段と、
前記圧縮画像情報を出力する出力手段と、
前記頻度記憶手段に記憶される頻度が多い画像情報に対応する圧縮画像情報を前記記憶手段より取得し再度圧縮する再圧縮手段と、
この再圧縮手段により再度圧縮された再圧縮画像情報を記憶する再圧縮画像記憶手段を有し、
前記出力手段は、前記画像入力手段により画像情報が入力された際に、この入力された画像情報に対応する再圧縮画像情報を前記再圧縮画像記憶手段より取得して出力することを特徴とする画像圧縮装置。
【請求項４】
前記再圧縮手段は、
前記画像入力手段が画像情報の入力を受付けていない間に再度圧縮する
ことを特徴とする請求項３記載の画像圧縮装置。
【請求項５】
サーバベース・コンピューティング・システムにおけるサーバ装置のコンピュータを、
クライアント装置に送信される画像情報を圧縮する圧縮手段、
この圧縮手段により圧縮された圧縮画像情報を記憶する記憶手段、
前記クライアント装置に前記圧縮画像情報を送信する送信手段、
この送信手段により前記圧縮画像情報が前記クライアント装置に送信された頻度を記憶する頻度記憶手段、
前記頻度記憶手段に記憶される頻度が多い画像情報に対応する圧縮画像情報を前記記憶手段より取得し再度圧縮する再圧縮手段として機能させ、
前記送信手段は、前記再圧縮手段により再度圧縮された再圧縮画像情報をクライアント装置に送信するように機能させるプログラム。
【請求項６】
画像圧縮装置のコンピュータを、
画像情報を入力する画像入力手段、
この画像入力手段に入力された前記画像情報の頻度を記憶する頻度記憶手段、
前記画像情報を圧縮する圧縮手段、
この圧縮手段により圧縮された圧縮画像情報を記憶する記憶手段、
前記圧縮画像情報を出力する出力手段、
前記頻度記憶手段に記憶される頻度が多い画像情報に対応する圧縮画像情報を前記記憶手段より取得し再度圧縮する再圧縮手段、
この再圧縮手段により再度圧縮された再圧縮画像情報を記憶する再圧縮画像記憶手段として機能させ、
前記出力手段は、前記画像入力手段により画像情報が入力された際に、この入力された画像情報に対応する再圧縮画像情報を前記再圧縮画像記憶手段より取得して出力するように機能させるプログラム。
【発明の詳細な説明】
【技術分野】
【０００１】
本発明は、ＬＡＮ（Local Area Network）等のネットワークを介して相互に接続可能に構成されたサーバベース・コンピューティング・システムのサーバ装置及び画像圧縮装置及びそのプログラムに関する。
【背景技術】
【０００２】
サーバベース・コンピューティング・システム（Server Based Computing System）とは、全てのアプリケーションの実行等の各種処理をサーバ装置上で行い、クライアント装置を入出力の端末として使用するコンピューティング・システムである。このサーバベース・コンピューティング・システムでは、クライアント装置からサーバ装置に対してキーボードやマウス等の入力情報を送信し、サーバ装置ではこの入力情報に基づいてクライアント装置で表示される画面情報である画像情報を生成し、この画像情報を圧縮してクライアント装置に送信する（例えば、特許文献１参照）。
【特許文献１】特開２００４−１７１０６３号公報
【０００３】
この画像情報をより高い圧縮率で圧縮できれば、ネットワークに流れるデータサイズが減るためネットワーク負荷を軽減することができ、また伝送遅延が起こりにくくなるためクライアント装置の操作レスポンスを向上させることができる。ここでサーバ装置からクライアント装置に送信される画像情報に着目してみると、同一の画像情報が繰り返し送信される場合がある。ここで画像情報とは、一画面を構成する部分画像を含む。
【０００４】
なお、同一の画像情報を圧縮方式のオプション（別フィルターや、ハフマンテーブル）を変更して繰り返し圧縮することでより高い圧縮率で画像情報を圧縮できる技術は知られている。
【発明の開示】
【発明が解決しようとする課題】
【０００５】
本発明の課題は、クライアント装置に送信する頻度が多い画像情報をより高い圧縮率で画像圧縮を行うことが可能なサーバベース・コンピューティング・システムにおけるサーバ装置、画像圧縮装置及びプログラムを提供することである。
【課題を解決するための手段】
【０００６】
請求項１記載のサーバベース・コンピューティング・システムにおけるサーバ装置の本発明は、クライアント装置に送信される画像情報を圧縮する圧縮手段と、この圧縮手段により圧縮された圧縮画像情報を記憶する記憶手段と、前記クライアント装置に前記圧縮画像情報を送信する送信手段と、この送信手段により前記圧縮画像情報が前記クライアント装置に送信された頻度を記憶する頻度記憶手段と、前記頻度記憶手段に記憶される頻度が多い画像情報に対応する圧縮画像情報を前記記憶手段より取得し再度圧縮する再圧縮手段を有し、前記送信手段は、前記再圧縮手段により再度圧縮された再圧縮画像情報をクライアント装置に送信することを特徴とする。
【０００７】
更に、コンピュータを上述した請求項１記載の発明に示した各手段として機能させるためのプログラムを提供する（請求項５記載の発明）。
【０００８】
請求項２記載の本発明は、請求項１記載のサーバベース・コンピューティング・システムのサーバ装置において、ＣＰＵ使用率を検出する検出手段を更に有し、前記再圧縮手段は、前記検出手段により検出されるＣＰＵ使用率が所定の閾値より低い場合に、前記圧縮画像情報を再度圧縮することを特徴とする。
【０００９】
請求項３記載の画像圧縮装置の本発明は、画像情報を入力する画像入力手段と、この画像入力手段に入力された前記画像情報の頻度を記憶する頻度記憶手段と、前記画像情報を圧縮する圧縮手段と、この圧縮手段により圧縮された圧縮画像情報を記憶する記憶手段と、前記圧縮画像情報を出力する出力手段と、前記頻度記憶手段に記憶される頻度が多い画像情報に対応する圧縮画像情報を前記記憶手段より取得し再度圧縮する再圧縮手段と、この再圧縮手段により再度圧縮された再圧縮画像情報を記憶する再圧縮画像記憶手段を有し、前記出力手段は、前記画像入力手段により画像情報が入力された際に、この入力された画像情報に対応する再圧縮画像情報を前記再圧縮画像記憶手段より取得して出力することを特徴とする。
【００１０】
更に、コンピュータを上述した請求項３記載の発明に示した各手段として機能させるためのプログラムを提供する（請求項６記載の発明）。
【００１１】
請求項４記載の本発明は、請求項３記載の画像圧縮装置において、前記再圧縮手段は、前記画像入力手段が画像情報の入力を受付けていない間に再度圧縮することを特徴とする。
【発明の効果】
【００１２】
本発明によれば、クライアント装置に送信する頻度が多い画像情報をより高い圧縮率で画像圧縮を行うことより、ネットワークに流れるデータサイズを効率よく減少させてネットワーク負荷を軽減することができ、また伝送遅延が起こりにくくなるためクライアント装置の操作レスポンスを向上させることができる。
【発明を実施するための最良の形態】
【００１３】
以下図面により、本発明の実施形態について説明する。なお本発明の実施形態は以下の具体例に限定されない。
図１に、本発明の実施形態に係る全体構成図を示す。
【００１４】
本発明の実施形態はシンクライアントシステムであり、ＬＡＮ（Local Area Network）、ＷＡＮ（Wide Area Network）等からなるネットワークＮ上に接続されたサーバ装置１０及び複数のシンクライアント端末であるクライアント装置２０，…から構成される。
【００１５】
サーバ装置１０は、文書作成処理プログラム、表計算処理プログラムなど、各種アプリケーション・プログラムを記憶し、クライアント装置２０，…からの入力（操作）信号に応じて前記各種アプリケーション・プログラムを起動し実行し、この実行結果として生成されるクライアント装置で表示される画面情報を画像情報として、クライアント装置に送信する。なおネットワークＮは無線通信ネットワーク等を含めてもよく、またクライアント装置２０は無線通信可能なノート型ＰＣ、携帯電話等でもよく、その種類、台数等は図１の例に限定されない。
【００１６】
図２に、サーバ装置１０の電子回路のブロック図を示す。
サーバ装置１０は、各種制御を行うＣＰＵ１１に、メモリ１２、記憶部１３、通信部１４、表示部１５、入力部１６、画像圧縮装置１７が、バスライン１８を介して接続される。
【００１７】
ＣＰＵ１１は、記憶部１３に記憶されている各種アプリケーション・プログラム１３Ａに従って各種動作を制御し、通信部１４にて受信されるクライアント装置２０，…からの入力（操作）信号に応じて前記各種アプリケーション・プログラム１３Ａを起動し実行する。メモリ１２は、実行される各種プログラムを展開し、これらプログラムに係るデータ等を格納するワークエリアを有する。
【００１８】
記憶部１３は、磁気記録媒体を備えたＨＤＤ（Hard Disk Drive）等により構成され、各種アプリケーション・プログラム１３Ａ及びＣＰＵ１１の使用率を取得可能なプログラムを記憶する。通信部１４は、接続されるネットワークＮ上のクライアント装置２０，…等の外部機器と情報を通信する。表示部１５は、ＬＣＤ（Liquid Crystal Display）、ＣＲＴ（Cathode Ray Tube）等で構成され、ＣＰＵ１１からの表示制御信号に従って画面表示を行う。入力部１６は、文字、数字入力キー及び各種機能キーなどを備えたキーボードを含み、ユーザにより各キーが押下された操作信号をＣＰＵ１１に出力する。画像圧縮装置１７は、クライアント装置２０に送信するための画像情報を圧縮する。
【００１９】
図３に、画像圧縮装置１７の具体例を示す。
画像圧縮装置１７は、Ｉ／Ｆ回路１７１を介しサーバ装置１０の各回路部と接続され、この画像圧縮装置１７の内部には、この画像圧縮装置１７の制御を行うＣＰＵ１７２、制御プログラム１７３Ａを記憶する記憶部１７３、画像圧縮を行う圧縮回路１７４、ワーク領域であるハッシュ保存用ＲＡＭ１７５及び圧縮用ＲＡＭ１７６を有する。なお本実施例ではソフトウエアによる情報処理にて本発明を実現するが、ソフトウエアで実現する一部或いは全部をハードウエア資源で実現してもよい。
【００２０】
図４に、画像圧縮装置１７に記憶されるハッシュ保存用ＲＡＭ１７５の具体例を示す。
ハッシュ保存用ＲＡＭ１７５には、「ハッシュ値」、「頻度」、「画像データ」、「圧縮回数」、「最適化」が記憶される。
【００２１】
「ハッシュ値」は、画像圧縮装置１７が入力を受付けた画像情報の識別子である。入力された画像情報に対してハッシュ演算を行うことで画像情報の識別子を生成する。例えば画像情報を受付け、この画像情報に対してハッシュ演算を行った後にＲＡＭ１７５内に同一のハッシュ値が記憶されていると判断されるならば、当該画像情報は以前当該画像処理装置１７に受け付けられており、既にクライアント装置２０に当該画像情報の圧縮画像情報を送信したことがあることを示す。
【００２２】
「頻度」は、同一の画像情報が画像圧縮装置１７に入力が受付けられた回数である。すなわちこの頻度が多いと画像情報は頻繁に当該画像圧縮装置１７に受付けられ、クライアント装置２０に頻繁に送信される画像情報であることを示す。本発明では、この「頻度」が多い画像情報について優先的に圧縮処理を繰り返すことにより最適化された再圧縮画像情報を生成する。これにより画像圧縮装置１７のハードウエア資源をより効率的に使用でき、ネットワークに頻繁に送信される画像情報の画像サイズがより小さくなる。
【００２３】
「画像データ」は、入力された画像情報を圧縮した圧縮画像情報、或いは再圧縮画像情報である。
【００２４】
「圧縮回数」は、入力された画像情報に対して繰り返された圧縮回数である。これは例えば圧縮方式のオプション（別フィルター、ハフマンテーブル）を変更して圧縮処理を繰り返し実行した回数であり、この処理によりより高い圧縮率（圧縮前の画像情報と比較して画像サイズがより小さい）の圧縮画像を生成することができる。
【００２５】
「最適化」は、圧縮画像情報が最適化されているか否かを判別するためのフラグである。例えばフラグ“１”が記憶されていれば、当該圧縮画像情報は最適化されていることを示し、“０”であればまだ最適化されていないことを示す。
【００２６】
図５に、サーバ装置１０で実行される処理のフローチャートの具体例を示す。
以下に示す各フローチャートで示す処理は、ＣＰＵ１１がサーバ装置１０の記憶部１３に記憶されている制御プログラムを読み取り、実行する処理動作を示すものである。
【００２７】
例えばサーバ装置１０でアプリケーションシステム１３Ａが実行され、クライアント装置２０に送信する画像情報があると判別された際は（ステップＳ１；ＹＥＳ）、当該画像情報を圧縮処理のためサーバ装置１０内の画像圧縮装置１７に送信する（ステップＳ２）。ここで画像情報とは、クライアント装置２０の一画面を構成する部分画像を含み、圧縮処理された各部分画像が送信される。そして画像圧縮処理装置１７は送信された画像情報の圧縮処理を行う（ステップＳ３）。なおこの処理については図６にて後述する。そして画像圧縮処理装置１７の処理にて出力された圧縮画像情報をクライアント装置２０に送信する（ステップＳ４）。
【００２８】
図６に、画像圧縮装置１７で実行される処理のフローチャートの具体例を示す。
以下に示す各フローチャートで示す処理は、画像圧縮装置１７のＣＰＵ１７２が記憶部１７３に記憶されている制御プログラム１７３Ａを読み取り、実行する処理動作を示すものである。
【００２９】
当該画像圧縮装置１７はステップＳＡ１にて、画像情報を受付け、初期値を設定する。ここで i は圧縮オプション番号を示すカウンタであり、n はその圧縮オプション数を示す。なお本実施例では圧縮オプション数を１０種類とする。
【００３０】
ステップＳＡ２にて、ステップＳＡ１で受付けた画像情報についてハッシュ演算を行い、ハッシュ値を生成する。そしてハッシュ保存用ＲＡＭ１７５の「ハッシュ値」に同一ハッシュ値が有るか否かを検索し、有ると判別された場合は（ステップＳＡ３；ＹＥＳ）、当該画像情報が入力された回数を示すハッシュ保存用ＲＡＭ１７５の「頻度」をカウントアップする（ステップＳＡ４）。一方無いと判別された場合は（ステップＳＡ３；ＮＯ）、初めて当該画像情報が入力されたのでハッシュ保存用ＲＡＭ１７５の「ハッシュ値」に生成されたハッシュ値を記憶し、「頻度」に“１”を記憶する（ステップＳＡ５）。
【００３１】
次にこのハッシュ保存用ＲＡＭ１７５に記憶される「頻度」が最大かどうかを他の画像情報の頻度と比較して判別し、最大であると判別された場合は（ステップＳＡ６；ＹＥＳ）、「画像データ」が記憶されているか否かを判別する（ステップＳＡ７）。この「画像データ」には当該画像圧縮装置１７に入力された頻度（回数）が最大であり、画像圧縮の最適化処理を行う画像情報が記憶されている（後述のステップＳＡ１２）。
【００３２】
ステップＳＡ７にて「画像データ」が無いと判別された場合は（ステップＳＡ７；ＮＯ）、当該入力された画像情報の圧縮を行い（ステップＳＡ９）、圧縮画像情報を圧縮用ＲＡＭ１７６に記憶する（ステップＳＡ１０）。そしてその圧縮画像情報を当該画像圧縮装置１７から出力し（ステップＳＡ１１）、その圧縮画像情報をハッシュ保存用ＲＡＭ１７５の「画像データ」に記憶する（ステップＳＡ１２）。なお、この出力された圧縮画像情報はサーバ装置１０の処理によりクライアント装置２０に送信される（図５のステップＳ４）。
【００３３】
一方ステップＳＡ７にて「画像データ」が有ると判別された場合は（ステップＳＡ７；ＹＥＳ）、ハッシュ保存用ＲＡＭ１７５に記憶される「画像データ」を当該画像圧縮装置１７から出力する（ステップＳＡ８）。すなわちここでは既に圧縮済みの画像情報がＲＡＭ１７５に記憶されているので、ステップＳＡ９とステップＳＡ１３のような圧縮処理を実行する必要がなく、素早いレスポンスで圧縮画像情報を出力することが可能になる。さらにこのＲＡＭ１７５に記憶される圧縮済みの画像情報は、当該画像圧縮装置１７に画像入力が受付けられていない間に最適化されている（或いは、最適化処理の途中）ので、より高い圧縮率で画像圧縮が行われていることになる。
【００３４】
ステップＳＡ６にて「頻度」が最大でないと判断された場合は（ステップＳＡ６；ＮＯ）、入力が受付けられた画像情報の圧縮を行い（ステップＳＡ１３）、この圧縮された圧縮画像情報を圧縮用ＲＡＭ１７６に記憶し（ステップＳＡ１４）、当該圧縮画像情報を当該画像圧縮装置１７から出力する（ステップＳＡ１５）。
【００３５】
そして当該画像圧縮装置１７が新たな画像入力の受付けを検知した場合は（ステップＳＡ１６；ＹＥＳ）ステップＳＡ１からＳＡ１５の処理が実行される。一方新たな画像入力の受付けが検知されない場合は（ステップＳＡ１６；ＮＯ）、ステップＳＡ１７からステップＳＡ２４の処理が繰り返される。なお、このステップＳＡ１７からステップＳＡ２４の処理が圧縮画像情報の最適化処理である。
【００３６】
ステップＳＡ１７にて、 i ≧ n または、ハッシュ保存用ＲＡＭ１７５の「最適化」フラグが“１”または、「画像データ」が記憶されていない場合であって、サーバ装置１０のＣＰＵ１１の使用率を取得して判定した結果、ＣＰＵ１１の使用率が所定の閾値（例えば３０％）以下である場合は（ステップＳＡ１７；ＮＯ）、当該画像圧縮装置１７の圧縮処理を実行させるべく、カウンタiをインクリントし（ステップＳＡ１８）、記憶される「画像データ」を圧縮オプション[i]にて再度圧縮する（ステップＳＡ１９）。
【００３７】
なおＣＰＵ１１の使用率により当該画像圧縮装置１７の処理の最適化処理を制御することは、当該画像圧縮装置１７がサーバ装置１０のＣＰＵ１１に制御される場合、例えば当該画像圧縮装置１７内にＣＰＵ１７２を持たない場合に効果的である。
【００３８】
次にハッシュ保存用ＲＡＭ１７５に記憶される「画像データ」の画像サイズとステップＳＡ１９で再圧縮を行った結果生成された再圧縮画像の画像サイズを比較して、圧縮率が向上している、すなわち記憶される画像データの画像サイズより再圧縮画像の画像サイズの方が小さいと判別された場合は（ステップＳＡ２０；ＹＥＳ）、再圧縮画像情報を圧縮用ＲＡＭ１７６に記憶し、ハッシュ保存用ＲＡＭ１７５に記憶される「画像データ」とこの再圧縮画像情報とを置き換える。そして「圧縮回数」にiを記憶し（ステップＳＡ２３）、ステップＳＡ１６に戻る。
【００３９】
一方記憶される「画像データ」の画像サイズとステップＳＡ１９で再圧縮を行った結果の再圧縮画像の画像サイズを比較して、圧縮率が向上していないと判別された場合は（ステップＳＡ２０；ＮＯ）、既に当該圧縮画像情報は最適化されているので「最適化」フラグに“１”をセットしてステップＳＡ１６に戻る。
【００４０】
そしてこの画像圧縮装置１７が終了コマンドを検出するまで（ステップＳＡ２５）、ステップＳＡ１からステップＳＡ２４までの処理を繰り返す。
【００４１】
以上、前記実施形態にて説明した通り、本発明によれば、クライアント装置に送信する頻度が多い画像情報をより高い圧縮率で画像圧縮を行うことが可能なサーバベース・コンピューティング・システムにおけるサーバ装置及び画像圧縮装置及びそのプログラムを提供することができる。
【００４２】
また前記画像圧縮処理では、画像圧縮装置１７に受付けられた画像の入力頻度が最大のものについて画像圧縮の最適化処理を実行したが、画像の入力頻度が多いものから優先的に複数の画像情報について画像圧縮の最適化処理を実行してもよい。
【００４３】
なお、前記実施形態において記載した画像処理装置１７の処理、すなわち図６のフローチャートに示す各処理は、コンピュータが読み取り可能なプログラムとして、記憶部１７３に記憶されているが、その他に、サーバ装置１０の記憶部１３、メモリカード（ＲＯＭカード、ＲＡＭカード等）、半導体メモリ等の記録媒体に記憶してもよい。
【００４４】
また、本発明は前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。
【００４５】
例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、これらの構成要件が削除されたり組み合わされた構成が発明として抽出され得るものである。
【図面の簡単な説明】
【００４６】
【図１】本発明の実施形態に係るシステム構成図。
【図２】サーバ装置１０の電子回路のブロック図。
【図３】画像圧縮装置１７の電子回路のブロック図。
【図４】ハッシュ保存用ＲＡＭ１７５の具体例。
【図５】サーバ装置１０の動作フローチャートの具体例。
【図６】画像圧縮装置１７の動作フローチャートの具体例。
【符号の説明】
【００４７】
１０…サーバ装置
１１…ＣＰＵ
１２…メモリ
１３…記憶部
１３Ａ…アプリケーションシステム
１４…通信部
１５…表示部
１６…入力部
１７…画像圧縮装置
１７１…Ｉ／Ｆ回路
１７２…ＣＰＵ
１７３…記憶部
１７３Ａ…制御プログラム
１７４…圧縮回路
１７５…ハッシュ保存用ＲＡＭ
１７６…圧縮用ＲＡＭ
１８…バスライン
２０…クライアント装置
Ｎ…ネットワーク
【図１】
2009212748.tif 000003
【図２】
2009212748.tif 000004
【図３】
2009212748.tif 000005
【図４】
2009212748.tif 000006
【図５】
2009212748.tif 000007
【図６】
2009212748.tif 000008